(57)【要約】【課題】簡易な構成で保湿液をキャップ内へ供給することが可能で、かつ、キャップ内へ供給される保湿液の量を精度良く制御することが可能な液体吐出装置を提案する。【解決手段】液体吐出装置は、媒体に向かって液滴を吐出するノズル面３ａが形成される液体吐出ヘッド３と、液体吐出装置が休止状態にあるときにノズル面３ａを封止してノズル内の液体の水分の蒸発を防止するキャップ１２と、キャップ１２内を保湿するための保湿液が貯留される保湿液タンクを備える保湿液供給部１５と、封止位置１２Ａと退避位置１２Ｂとの間でキャップ１２を移動させる移動機構と、キャップ１２の移動動作を利用して作動する作動部材２２とを有している。キャップ１２の移動動作によって作動した作動部材２２は、保湿液供給部１５に当接して保湿液タンク内の保湿液をキャップ１２に向かって吐出させる。【選択図】図２
2012106428.tif 000002
【特許請求の範囲】
【請求項１】
液滴吐出用の複数のノズルが配列されるノズル面を備え、媒体に向かって液滴を吐出する液体吐出ヘッドと、
前記液体吐出ヘッドが前記媒体に向かって液滴を吐出しない所定の休止状態にあるときに、前記ノズル面を封止して前記ノズル内の液体の水分の蒸発を防止するキャップと、
前記キャップ内を保湿するための保湿液が貯留される保湿液タンクを備える保湿液供給部と、
前記キャップが前記ノズル面を封止する封止位置と、前記キャップが前記ノズル面から離れる退避位置との間で、前記キャップを移動させる移動機構と、
前記キャップの移動動作を利用して作動する作動部材と、を有し、
前記キャップの移動動作によって作動した前記作動部材は、前記保湿液供給部に当接して前記保湿液タンク内の前記保湿液を前記キャップに向かって吐出させることを特徴とする液体吐出装置。
【請求項２】
前記作動部材は、前記キャップが前記ノズル面を封止する封止状態から前記キャップと前記ノズル面とが離れて前記液体吐出ヘッドが前記媒体へ液滴を吐出する液滴吐出状態へ移行する際の前記キャップの移動動作に伴って、前記保湿液供給部に当接して前記保湿液タンク内の前記保湿液を前記キャップに向かって吐出させることを特徴とする請求項１に記載の液体吐出装置。
【請求項３】
前記作動部材は、前記キャップと前記ノズル面とが離れて前記液体吐出ヘッドが前記媒体へ液滴を吐出する液滴吐出状態から前記キャップが前記ノズル面を封止する封止状態へ移行する際の前記キャップの移動動作に伴って、前記保湿液供給部に当接して前記保湿液タンク内の前記保湿液を前記キャップに向かって吐出させることを特徴とする請求項１に記載の液体吐出装置。
【請求項４】
前記キャップには、前記作動部材に当接する当接部材が形成または固定され、
前記作動部材は、前記保湿液供給部に当接する第１当接部と、前記当接部材が当接する第２当接部と、を有するとともに、前記保湿液供給部から前記第１当接部が離れる方向へ付勢され、
前記キャップとともに移動する前記当接部材が前記第２当接部に当接すると、前記第１当接部が前記保湿液供給部に当接して、前記保湿液が前記キャップに向かって吐出されることを特徴とする請求項１から３のいずれかに記載の液体吐出装置。
【請求項５】
前記保湿液供給部は、前記作動部材が当接するダイヤフラムを有し、
前記作動部材は、前記ダイヤフラムを作動させて前記保湿液タンク内の前記保湿液を前記キャップに向かって吐出させることを特徴とする請求項１から４のいずれかに記載の液体吐出装置。
【請求項６】
前記保湿液供給部は、前記キャップに向かって前記保湿液を吐出する保湿液吐出ノズルと、前記保湿液タンクと前記保湿液吐出ノズルとの間に配置される逆止弁と、を有することを特徴とする請求項１から５のいずれかに記載の液体吐出装置。
【請求項７】
前記保湿液タンクに供給される前記保湿液が貯留される保湿液供給タンクと、前記保湿液タンクと前記保湿液供給タンクとの間に配置される逆止弁と、を有することを特徴とする請求項１から６のいずれかに記載の液体吐出装置。
【請求項８】
前記ノズル面に当接して前記ノズル面を拭くワイパー部材を有し、
前記ワイパー部材は、前記キャップに取り付けられ、
前記キャップには、前記作動部材に当接する当接部材および第２の当接部材が形成または固定され、
前記キャップの移動動作によって前記当接部材が前記作動部材に当接すると、前記作動部材が前記保湿液供給部に当接して前記保湿液タンク内の前記保湿液を前記キャップに向かって吐出させ、
前記キャップの移動動作によって前記第２の当接部材が前記作動部材に当接すると、前記作動部材が前記保湿液供給部に当接して前記保湿液タンク内の前記保湿液を前記ワイパー部材に向かって吐出させることを特徴とする請求項１から７のいずれかに記載の液体吐出装置。
【請求項９】
前記液体吐出ヘッドは、前記ノズル面からインク滴を吐出する印刷ヘッドであることを特徴とする請求項１から８のいずれかに記載の液体吐出装置。
【発明の詳細な説明】
【技術分野】
【０００１】
本発明は、液体吐出ヘッドのノズル面を封止するためのキャップを有する液体吐出装置に関する。
【背景技術】
【０００２】
従来、複数のノズルが配列される印刷ヘッドからインク滴を吐出して印刷用紙に印刷を行うインクジェットプリンターが知られている。インクジェットプリンターでは、一般に、印刷待機時や電源オフ時に印字ヘッドのノズル内のインクの水分が蒸発してインクが増粘するのを防止して、印刷時におけるインク滴の吐出不良を防止するため、休止状態にある印刷ヘッドのノズル面はキャップによって封止されている。しかしながら、キャップ内にインクの増粘物が堆積している状態でキャップがノズル面を封止した場合には、堆積した増粘物中に高濃度で含まれるグリセリンやジエチレングリコール等の保湿剤が印字ヘッドのノズル内の水分を吸収してノズル内のインクの増粘を促進し、ノズルの目詰まりやインク滴の吐出不良を誘発してしまうことがある。そこで、従来、キャップ内の状態を適切に保つために、キャップ内に保湿液や洗浄液を供給するインクジェットプリンターが提案されている（たとえば、特許文献１から３参照）。
【０００３】
特許文献１のインクジェットプリンターでは、キャリッジに搭載される保湿液タンクの吐出口に電磁弁が設けられており、制御部からの制御信号によって電磁弁が開閉して、キャップ内に保湿液が滴下される。特許文献２に記載のインクジェットプリンターは、キャリッジに搭載される洗浄ヘッドのノズルから洗浄液を噴射させる噴射手段を備えている。このプリンターでは、噴射手段は、制御回路等によって構成されており、所定のタイミングで洗浄ヘッドのノズルからキャップへ向かって洗浄液を噴射させる。特許文献３に記載のインクジェットプリンターでは、印刷ヘッドのノズルの詰まりを解消するための吸引ポンプがキャップに接続されている。このプリンターでは、洗浄液の供給口が形成される洗浄液供給手段の供給面をキャップが封止した状態で吸引ポンプが作動すると、キャップに洗浄液が供給される。
【先行技術文献】
【特許文献】
【０００４】
【特許文献１】特開２００１−１８４０８号公報
【特許文献２】特開２００１−２５３０８１号公報
【特許文献３】特開２００９−２２６７１９号公報
【発明の概要】
【発明が解決しようとする課題】
【０００５】
しかしながら、特許文献１に記載のプリンターや特許文献２に記載のプリンターでは、電磁弁や噴射手段を利用して、保湿液や洗浄液をキャップ内へ供給しているため、保湿液や洗浄液をキャップ内へ供給するための専用の駆動源が必要になり、装置が複雑化するとともに大型化して高価になる。また、これらのプリンターでは、電磁弁の制御や噴射手段の制御が必要となるため、装置の制御が複雑になる。一方、特許文献３に記載のプリンターでは、印刷ヘッドのノズルの詰まりを解消するための吸引ポンプを利用して洗浄液をキャップ内へ供給するため、洗浄液をキャップ内へ供給するための駆動源を別途、設ける必要がないが、吸引ポンプの機構上、キャップ内へ供給される洗浄液の量を精度良く制御することが困難である。したがって、このプリンターでは、キャップ内へ洗浄液を供給する際に必要以上の洗浄液が消費され、その結果、洗浄液カートリッジの交換頻度が高くなってユーザーの使い勝手が悪くなったり維持コストが増加する。洗浄液カートリッジの交換頻度を下げるためには、洗浄液カートリッジを大型化すれば良いが、この場合には、装置全体が大型化する。
【０００６】
そこで、本発明の課題は、簡易な構成で保湿液をキャップ内へ供給することが可能で、かつ、キャップ内へ供給される保湿液の量を精度良く制御することが可能な液体吐出装置を提案することにある。
【課題を解決するための手段】
【０００７】
上記の課題を解決するため、本発明の液体吐出装置は、液滴吐出用の複数のノズルが配列されるノズル面を備え、媒体に向かって液滴を吐出する液体吐出ヘッドと、前記液体吐出ヘッドが前記媒体に向かって液滴を吐出しない所定の休止状態にあるときに、前記ノズル面を封止して前記ノズル内の液体の水分の蒸発を防止するキャップと、前記キャップ内を保湿するための保湿液が貯留される保湿液タンクを備える保湿液供給部と、前記キャップが前記ノズル面を封止する封止位置と、前記キャップが前記ノズル面から離れる退避位置との間で、前記キャップを移動させる移動機構と、前記キャップの移動動作を利用して作動する作動部材と、を有し、前記キャップの移動動作によって作動した前記作動部材は、前記保湿液供給部に当接して前記保湿液タンク内の前記保湿液を前記キャップに向かって吐出させることを特徴とする。
【０００８】
本発明の液体吐出装置は、キャップの移動動作を利用して作動する作動部材を有しており、キャップの移動動作によって作動した作動部材は、保湿液供給部に当接して保湿液タンク内の保湿液をキャップに向かって吐出させている。すなわち、本発明では、ノズル面の封止と媒体への印刷とを可能とするために封止位置と退避位置との間で移動可能なキャップの動作を利用して作動部材を作動させて、保湿液をキャップ内へ供給している。そのため、保湿液をキャップ内へ供給するための専用の駆動源が不要となる。したがって、本発明では、簡易な構成で、保湿液をキャップ内へ供給することが可能になる。また、本発明では、キャップに向かって保湿液を吐出させることでキャップ内へ保湿液を供給しているため、保湿液を吸引することでキャップ内へ保湿液を供給する場合と比較して、キャップ内へ供給される保湿液の量を精度良く制御することが可能になる。
【０００９】
本発明において、前記作動部材は、前記キャップが前記ノズル面を封止する封止状態から前記キャップと前記ノズル面とが離れて前記液体吐出ヘッドが前記媒体へ液滴を吐出する液滴吐出状態へ移行する際の前記キャップの移動動作に伴って、前記保湿液供給部に当接して前記保湿液タンク内の前記保湿液を前記キャップに向かって吐出させることが好ましい。あるいは、本発明において、前記作動部材は、前記キャップと前記ノズル面とが離れて前記液体吐出ヘッドが前記媒体へ液滴を吐出する液滴吐出状態から前記キャップが前記ノズル面を封止する封止状態へ移行する際の前記キャップの移動動作に伴って、前記保湿液供給部に当接して前記保湿液タンク内の前記保湿液を前記キャップに向かって吐出させることが好ましい。すなわち、キャップの通常動作を利用して保湿液をキャップ内へ供給することが好ましい。このように構成すると、保湿液をキャップ内へ供給するための専用の動作をキャップに行わせる必要がなくなる。したがって、キャップを移動させるための制御が容易になる。また、キャップが通常動作を行えば、保湿液がキャップ内へ供給されるため、保湿液をキャップ内へ供給するためのメンテナンス時間を短縮することができ、その結果、ユーザーの使い勝手を向上させることができる。
【００１０】
本発明において、前記キャップには、前記作動部材に当接する当接部材が形成または固定され、前記作動部材は、前記保湿液供給部に当接する第１当接部と、前記当接部材が当接する第２当接部と、を有するとともに、前記保湿液供給部から前記第１当接部が離れる方向へ付勢され、前記キャップとともに移動する前記当接部材が前記第２当接部に当接すると、前記第１当接部が前記保湿液供給部に当接して、前記保湿液が前記キャップに向かって吐出されることが好ましい。
【００１１】
本発明において、前記保湿液供給部は、前記作動部材が当接するダイヤフラムを有し、前記作動部材は、前記ダイヤフラムを作動させて前記保湿液タンク内の前記保湿液を前記キャップに向かって吐出させることが好ましい。この場合には、ダイヤフラムを用いた比較的簡易な構成で、キャップに向かって保湿液を吐出させることができる。
【００１２】
本発明において、前記保湿液供給部は、前記キャップに向かって前記保湿液を吐出する保湿液吐出ノズルと、前記保湿液タンクと前記保湿液吐出ノズルとの間に配置される逆止弁と、を有することが好ましい。このように構成すると、保湿液吐出ノズルからの保湿液の垂れを防止することができる。また、このように構成すると、保湿液タンク内の保湿液が保湿液吐出ノズルを介して蒸発するのを防止することができる。
【００１３】
本発明において、液体吐出装置は、前記保湿液タンクに供給される前記保湿液が貯留される保湿液供給タンクと、前記保湿液タンクと前記保湿液供給タンクとの間に配置される逆止弁と、を有することが好ましい。このように構成すると、保湿液供給タンクへの保湿液の逆流を防止して、保湿液タンクからキャップへ確実に保湿液を供給することが可能になる。
【００１４】
本発明において、液体吐出装置は、前記ノズル面に当接して前記ノズル面を拭くワイパー部材を有し、前記ワイパー部材は、前記キャップに取り付けられ、前記キャップには、前記作動部材に当接する当接部材および第２の当接部材が形成または固定され、前記キャップの移動動作によって前記当接部材が前記作動部材に当接すると、前記作動部材が前記保湿液供給部に当接して前記保湿液タンク内の前記保湿液を前記キャップに向かって吐出させ、前記キャップの移動動作によって前記第２の当接部材が前記作動部材に当接すると、前記作動部材が前記保湿液供給部に当接して前記保湿液タンク内の前記保湿液を前記ワイパー部材に向かって吐出させることが好ましい。このように構成すると、キャップの動作を利用して、ワイパー部材に付着したインクや異物の乾燥を防止することが可能になる。したがって、ワイパー部材でノズル面を拭く際に、ワイパー部材に乾燥して固着したインクや異物がノズル面を汚してしまったり、ノズルを塞いでしまうといった現象を防止して、ノズル面に付着したインクや異物をワイパー部材によって適切に除去することが可能になる。また、このように構成すると、共通の保湿液供給部を用いて、ワイパー部材およびキャップ内へ保湿液を供給することができるため、液体吐出装置の構成を簡素化することが可能になる。
【００１５】
本発明において、前記液体吐出ヘッドは、たとえば、前記ノズル面からインク滴を吐出する印刷ヘッドである。すなわち、液体吐出装置は、たとえば、インクジェットプリンターである。このインクジェットプリンターでは、簡易な構成で、保湿液をキャップ内へ供給することが可能になり、また、キャップ内へ供給される保湿液の量を精度良く制御することが可能になる。
【図面の簡単な説明】
【００１６】
【図１】本発明の実施の形態にかかるプリンターの主要部の概略斜視図。
【図２】キャップ内への保湿液の吐出動作を説明するための図。
【図３】保湿液供給部の断面図。
【図４】本発明の他の実施の形態にかかる保湿液の吐出動作を説明するための図。
【発明を実施するための形態】
【００１７】
以下、図面を参照して、本発明の液体吐出装置の実施形態であるインクジェットプリンター（プリンター）１を説明する。
【００１８】
（プリンターの概略構成）
図１は、本発明の実施の形態にかかるプリンター１の主要部の概略斜視図である。
【００１９】
プリンター１は、印刷用紙（媒体）２に向かってインク滴を吐出して印刷を行うインクジェットプリンターであり、インク滴を吐出する印刷ヘッド（液体吐出ヘッド）３を備えている。印刷ヘッド３には、インク滴吐出用の複数のノズルが配列されるノズル面３ａが形成されている（図２参照）。ノズル面３ａは、水平方向と平行に配置されている。また、印刷ヘッド３は、ノズル面３ａが下側を向くように配置されており、下側へ向かってインク滴を吐出する。プリンター１は、印刷用紙２の幅方向へ印刷ヘッド３が移動しないラインプリンターであり、印刷ヘッド３は、支持フレーム４に取り付けられている。印刷用紙２は、モーター５に連結される給紙ローラー６（図２参照）によって搬送される。プリンター１では、印刷用紙２を搬送しながら、印刷用紙２に印刷が行われる。
【００２０】
（メンテナンスユニット、保湿液供給部および作動部材の構成）
図２は、キャップ１２内への保湿液の吐出動作を説明するための図であり、（Ａ）はキャップ１２が印刷ヘッド３のノズル面３ａを封止している状態を示す図、（Ｂ）はキャップ１２内へ保湿液が吐出されている状態を示す図、（Ｃ）はキャップ１２内への保湿液の吐出が終了した後の状態を示す図である。図３は、保湿液供給部１５の断面図である。
【００２１】
プリンター１は、印刷用紙２への印刷時に印刷ヘッド３のノズル面３ａに対向配置されるプラテン８と、印刷ヘッド３をメンテナンスするためのメンテナンスユニット９とを備えている。また、印刷ヘッド３と給紙ローラー６との間には、図２に示すように、印刷用紙２の下面を支持する搬送ガイド１０が配置されている。
【００２２】
プラテン８には、プラテン８を装置前後方向へ移動させる移動機構（図示省略）が連結されており、プラテン８は、装置前後方向へスライド可能となっている。プラテン８は、印刷用紙２への印刷時に、図２（Ｃ）に示すように、ノズル面３ａの下側に配置され、メンテナンスユニット９による印刷ヘッド３のメンテナンス時に、図２（Ａ）に示すように、印刷用紙２の排出側となる装置前側へ退避する。
【００２３】
メンテナンスユニット９は、ノズル面３ａよりも下側に配置されている。メンテナンスユニット９には、メンテナンスユニット９を装置前後方向および上下方向へ移動させる移動機構（図示省略）が連結されており、メンテナンスユニット９は、装置前後方向および上下方向へ移動可能となっている。メンテナンスユニット９は、印刷ヘッド３のメンテナンス時に、図２（Ａ）に示すように、ノズル面３ａの下側に配置されている。また、メンテナンスユニット９は、印刷用紙２への印刷時に、図２（Ｃ）に示すように、装置後ろ下側へ退避する。退避したメンテナンスユニット９の装置後ろ側の一部分は、搬送ガイド１０の下側に配置される。
【００２４】
メンテナンスユニット９は、ノズル面３ａに当接してノズル面３ａを拭くワイパーブレード（ワイパー部材）１１を備えている。ワイパーブレード１１は、ゴム等の可撓性材料によって形成されている。ワイパーブレード１１は、メンテナンスユニット９の装置前側に配置されている。印刷ヘッド３のメンテナンス時には、ワイパーブレード１１がノズル面３ａに当接可能な位置までメンテナンスユニット９が上昇した状態で、メンテナンスユニット９が装置前後方向へ移動する。メンテナンスユニット９が装置前後方向へ移動すると、ワイパーブレード１１がノズル面３ａに当接してノズル面３ａに付着したインクや異物を拭き取る。
【００２５】
また、メンテナンスユニット９は、印刷ヘッド３のノズル面３ａを封止してノズル内のインクの水分の蒸発を防止するキャップ１２を備えている。キャップ１２は、印刷ヘッド３が印刷用紙２に向かってインク滴を吐出しない所定の休止状態にあるときに、ノズル面３ａを封止する。具体的には、印刷待機時や電源オフ時等に、キャップ１２はノズル面３ａを封止する。上述のように、メンテナンスユニット９には、メンテナンスユニット９を装置前後方向および上下方向へ移動させる移動機構（図示省略）が連結されており、キャップ１２は、移動機構によって、キャップ１２がノズル面３ａを封止する封止位置１２Ａ（図２（Ａ）参照）と、ノズル面３ａからキャップ１２が離れる退避位置１２Ｂ（図２（Ｃ）参照）との間を移動する。
【００２６】
キャップ１２は、上面が開口する直方体の箱状に形成されたキャップケースを備えている。このキャップケースの中には、ゴム等の可撓性材料によって形成されるとともに上面が開口する直方体の箱状に形成されたキャップ部材が配置されており、弾性変形したキャップ部材がノズル面３ａに当接することで、ノズル面３ａが封止される。キャップ１２の内部には、スポンジ等の多孔質材料で形成されるインク吸収部材１３が配置されている。キャップ１２の底面には、円筒部１２ａがキャップ１２の内部に通じるように形成されており、円筒部１２ａには、チューブを介して吸引ポンプ（図示省略）が接続されている。
【００２７】
支持フレーム４には、キャップ１２内を保湿するための（具体的には、インク吸収部材１３を保湿するための）保湿液をキャップ１２内へ供給する保湿液供給部１５が２個取り付けられている。２個の保湿液供給部１５は、装置左右方向において所定の間隔で配置されるとともに、印刷ヘッド３の装置後ろ側に配置されている。また、保湿液供給部１５は、搬送ガイド１０の上側に配置されている。図３に示すように、保湿液供給部１５の内部には、保湿液が貯留される保湿液タンク１５ａが形成されている。保湿液タンク１５ａの上面には、保湿液供給部１５の上面まで貫通する開口部１５ｂが形成されている。開口部１５ｂは、ダイヤフラム１６によって覆われている。ダイヤフラム１６は、ゴム等の可撓性材料によって膜状に形成されている。ダイヤフラム１６の外周側部分は、開口部１５ｂを囲む保湿液供給部１５の上面に固定されている。
【００２８】
保湿液供給部１５の底面には、保湿液タンク１５ａ内の保湿液を下側へ向かって吐出するノズル（保湿液吐出ノズル）１５ｃが形成されている。保湿液タンク１５ａとノズル１５ｃとの境界部には、保湿液タンク１５ａからノズル１５ｃへの保湿液の流れのみを許容する逆止弁１７が配置されている。保湿液供給部１５の側面には、保湿液タンク１５ａに保湿液を供給するための供給口１５ｄが形成されており、供給口１５ｄには、継ぎ手１８が固定されている。継ぎ手１８には、保湿液タンク１５ａに供給される保湿液が貯留されるサブタンク（保湿液供給タンク）がチューブ１９を介して接続されている。供給口１５ｄの入口端には、サブタンクから保湿液タンク１５ａへの保湿液の流れのみを許容する逆止弁２０が配置されている。
【００２９】
保湿液供給部１５では、ダイヤフラム１６が押し下げられて、保湿液タンク１５ａの内部に向かってダイヤフラム１６が弾性変形すると、保湿液タンク１５ａ内の保湿液がノズル１５ｃから吐出される。このときには、逆止弁２０の作用で、保湿液タンク１５ａからサブタンクへの保湿液の逆流が阻止される。また、保湿液タンク１５ａの内部に向かって弾性変形したダイヤフラム１６が保湿液タンク１５ａの外部に向かって復元すると、サブタンクから保湿液タンク１５ａに保湿液が供給される。なお、図２に示すように、搬送ガイド１０には、上下方向に貫通する貫通孔１０ａが形成されている。貫通孔１０ａは、ノズル１５ｃの真下に形成されており、ノズル１５ｃから吐出された保湿液は、貫通孔１０ａを通過する。
【００３０】
また、支持フレーム４には、キャップ１２の移動動作（すなわち、メンテナンスユニット９の移動動作）によって作動する作動部材２２が取り付けられている。作動部材２２は、細長い四角柱状に形成される第１角柱部２２ａと第２角柱部２２ｂとを備えている。第１角柱部２２ａと第２角柱部２２ｂとは、互いに略直交するように、かつ、第１角柱部２２ａの一端と第２角柱部２２ｂの一端とが繋がるように一体で形成されており、第１角柱部２２ａと第２角柱部２２ｂとによって略Ｌ形状の部材が構成されている。作動部材２２は、第１角柱部２２ａと第２角柱部２２ｂとの接続部分から略装置前側へ第１角柱部２２ａが延びるように、かつ、第１角柱部２２ａと第２角柱部２２ｂとの接続部分から略下側へ第２角柱部２２ｂが延びるように、支持フレーム４に回動可能に取り付けられている。
【００３１】
第１角柱部２２ａと第２角柱部２２ｂとの接続部分には、装置左右方向を軸方向として支持フレーム４に回動可能に支持される円柱状の軸部２２ｃが形成または固定されている。軸部２２ｃは、第１角柱部２２ａと第２角柱部２２ｂとの接続部分から装置右側へ延びている。第１角柱部２２ａの他端側（前端側）には、装置左側へ延びる細長い四角柱状の第３角柱部２２ｄが形成または固定されている。第３角柱部２２ｄには、引張りコイルバネ２３の下端が取り付けられている。引張りコイルバネ２３の上端は、支持フレーム４に取り付けられており、作動部材２２は、軸部２２ｃを中心にして、図２の時計方向に付勢されている。
【００３２】
メンテナンスユニット９の装置後ろ側には、第２角柱部２２ｂの下端側に当接する円柱状の当接部材２４が装置右側へ延びるように固定または形成されている。すなわち、キャップ１２には、所定の部材を介して当接部材２４が固定されている。キャップ１２が封止位置１２Ａにあるときには、図２（Ａ）に示すように、第２角柱部２２ｂは、当接部材２４よりも装置後ろ側に配置されている。キャップ１２が装置後ろ下側へ退避して（すなわち、メンテナンスユニット９が装置後ろ下側へ退避して）、図２（Ｂ）に示すように、当接部材２４が第２角柱部２２ｂの下端側に当接すると、作動部材２２は、引張りコイルバネ２３の付勢力に抗して反時計方向へ回動する。
【００３３】
本形態では、キャップ１２の移動に伴って作動部材２２が反時計方向へ回動したときに、第３角柱部２２ｄがダイヤフラム１６の上面に当接してダイヤフラム１６を押し下げるように、作動部材２２および保湿液供給部１５が構成され、配置されている。また、ダイヤフラム１６が押し下げられると、保湿液供給部１５からキャップ１２内へ保湿液が吐出されるように、キャップ１２および保湿液供給部１５が構成され、配置され、かつ、キャップ１２が移動する。本形態の第３角柱部２２ｄは、保湿液供給部１５に当接する第１当接部であり、第２角柱部２２ｂは、当接部材２４が当接する第２当接部である。なお、ノズル１５ｃから吐出された保湿液は、搬送ガイド１０の貫通孔１０ａを通過してキャップ１２内へ供給される。
【００３４】
（保湿液の吐出動作）
プリンター１が休止状態であるときには、図２（Ａ）に示すように、メンテナンスユニット９が上昇しており、キャップ１２は、封止位置１２Ａでノズル面３ａを封止している。このときには、プラテン８は、装置前側へ退避している。キャップ１２がノズル面３ａを封止している封止状態から、印刷用紙２へインク滴を吐出する印刷状態（液滴吐出状態）へ移行する際には、キャップ１２が装置後ろ下側へ退避して（すなわち、メンテナンスユニット９が装置後ろ下側へ退避して）、キャップ１２がノズル面３ａから離れる。また、プラテン８が装置後ろ側へスライドして、ノズル面３ａの下側まで移動する。
【００３５】
キャップ１２が装置後ろ下側へ移動すると、図２（Ｂ）に示すように、当接部材２４が第２角柱部２２ｂの下端側に当接して、作動部材２２が反時計方向へ回動する。作動部材２２が反時計方向へ回動すると、第３角柱部２２ｄがダイヤフラム１６の上面に当接してダイヤフラム１６を押し下げる。ダイヤフラム１６が押し下げられると、保湿液供給部１５の下方に配置されるキャップ１２内へ保湿液タンク１５ａ内の保湿液が吐出される。キャップ１２内に吐出された保湿液は、キャップ１２内のインク吸収部材１３に吸収される。
【００３６】
図２（Ｂ）に示す状態からキャップ１２が装置後ろ下側へさらに移動して退避位置１２Ｂまで移動すると、図２（Ｃ）に示すように、当接部材２４から第２角柱部２２ｂが外れて、引張りコイルバネ２３の付勢力で作動部材２２が時計方向へ回動する。また、保湿液タンク１５ａの内部に向かって弾性変形していたダイヤフラム１６は、保湿液タンク１５ａの外部に向かって復元する。
【００３７】
（本実施の形態の主な効果）
以上説明したように、本形態では、キャップ１２の装置後ろ下側への移動動作によって、作動部材２２が回動する。また、作動部材２２が回動すると、作動部材２２がダイヤフラム１６に当接して、保湿液タンク１５ａ内の保湿液がキャップ１２に向かって吐出される。すなわち、本形態では、封止位置１２Ａと退避位置１２Ｂとの間で移動可能なキャップ１２の動作を利用して作動部材２２を回動させて、保湿液をキャップ１２内へ供給している。そのため、本形態では、保湿液をキャップ１２内へ供給するための専用の駆動源が不要となり、簡易な構成で、保湿液をキャップ１２内へ供給することができる。また、本形態では、ダイヤフラム１６の動作を利用してノズル１５ｃから保湿液を吐出させているため、保湿液を吸引することでキャップ１２内へ保湿液を供給する場合と比較して、キャップ１２内へ供給される保湿液の量を精度良く制御することが可能になる。
【００３８】
本形態では、印刷ヘッド３のノズル面３ａをキャップ１２が封止している封止状態から、印刷用紙２へインク滴を吐出する印刷状態へ移行する際のキャップ１２の動作を利用して、保湿液をキャップ１２内へ供給している。すなわち、キャップ１２の通常動作を利用して保湿液をキャップ１２内へ供給している。そのため、保湿液をキャップ１２内へ供給するための専用の動作をキャップ１２にさせる必要がなくなる。したがって、キャップ１２を移動させるための制御が容易になる。また、キャップ１２が通常動作を行えば、保湿液がキャップ１２内へ供給されるため、保湿液をキャップ１２内へ供給するためのメンテナンス時間を短縮することができ、その結果、ユーザーの使い勝手を向上させることができる。
【００３９】
本形態では、保湿液タンク１５ａとノズル１５ｃとの境界部に逆止弁１７が配置されている。そのため、ノズル１５ｃからの保湿液の垂れを防止することができる。また、保湿液タンク１５ａ内の保湿液がノズル１５ｃを介して蒸発するのを防止することができる。
【００４０】
（他の実施の形態）
上述した形態では、キャップ１２の移動動作を利用して保湿液をキャップ１２内へ供給しているが、図４に示すように、キャップ１２の移動動作を利用してキャップ１２内およびワイパーブレード１１に保湿液を供給しても良い。この場合には、図４に示すように、円柱状の当接部材（第２の当接部材）３４が、当接部材２４よりもメンテナンスユニット９の装置前側に固定または形成される。また、この場合には、キャップ１２の装置後ろ側への移動に伴って、当接部材３４が第２角柱部２２ｂの下端側に当接するとともに、当接部材３４が第２角柱部２２ｂの下端側に当接して作動部材２２が反時計方向へ回動したときに、図４（Ｃ）に示すように、第３角柱部２２ｄがダイヤフラム１６の上面に当接してダイヤフラム１６を押し下げるように、当接部材３４が構成され、配置されている。また、当接部材３４が第２角柱部２２ｂの下端側に当接して、第３角柱部２２ｄによってダイヤフラム１６が押し下げられると、保湿液供給部１５からワイパーブレード１１へ保湿液が吐出されるように、ワイパーブレード１１が構成され、配置されている。
【００４１】
この場合には、キャップ１２の装置後ろ下側への移動に伴って、図４（Ｂ）に示すように、まず、当接部材２４が第２角柱部２２ｂの下端側に当接して、キャップ１２内へ保湿液が供給される。その後、キャップ１２がさらに装置後ろ側へ移動すると、当接部材２４から第２角柱部２２ｂが外れて、引張りコイルバネ２３の付勢力で作動部材２２が時計方向へ回動し、また、弾性変形していたダイヤフラム１６は復元する。その後、キャップ１２がさらに装置後ろ側へ移動すると、図４（Ｃ）に示すように、当接部材３４が第２角柱部２２ｂの下端側に当接して、ワイパーブレード１１へ保湿液が供給される。
【００４２】
このように、キャップ１２の移動動作を利用してキャップ１２内およびワイパーブレード１１に保湿液を供給する場合には、キャップ１２の動作を利用してワイパーブレード１１へ保湿液を供給することで、ワイパーブレード１１に付着したインクや異物の乾燥を防止することが可能になる。したがって、印刷ヘッド３のメンテナンス時に、ワイパーブレード１１に乾燥して固着したインクや異物がノズル面３ａを汚してしまったり、ノズルを塞いでしまうといった現象を防止して、ノズル面３ａに付着したインクや異物をワイパーブレード１１によって適切に除去することが可能になる。また、この場合には、共通の保湿液供給部１５を用いて、ワイパーブレード１１およびキャップ１２内へ保湿液を供給することができるため、プリンター１の構成を簡素化することができる。
【００４３】
上述した形態では、印刷ヘッド３による印刷を行うために、キャップ１２が封止位置１２Ａから退避位置１２Ｂへ移動すると、作動部材２２が回動して、保湿液タンク１５ａ内の保湿液がキャップ１２に向かって吐出されているが、印刷ヘッド３による印刷が終了し、キャップ１２が退避位置１２Ｂから封止位置１２Ａへ移動する際に、作動部材２２が回動して、保湿液タンク１５ａ内の保湿液がキャップ１２に向かって吐出されるように、キャップ１２、保湿液供給部１５および作動部材２２等が構成され、配置され、かつ、キャップ１２が移動しても良い。また、保湿液をキャップ１２内へ供給するための専用の動作をキャップ１２が行ったときに、作動部材２２が回動して、保湿液タンク１５ａ内の保湿液がキャップ１２に向かって吐出されるように、キャップ１２、保湿液供給部１５および作動部材２２等が構成され、配置され、かつ、キャップ１２が移動しても良い。
【００４４】
上述した形態では、メンテナンスユニット９に当接部材２４が固定または形成されており、当接部材２４が所定の部材を介してキャップ１２に固定されているが、キャップ１２に当接部材２４が直接、固定または形成されても良い。また、上述した形態では、プリンター１を例に本発明の液体吐出装置の実施の形態を説明したが、本発明の構成が適用される液体吐出装置は、液晶ディスプレイ、有機ＥＬディスプレイ、ＦＥＤ（面発ディスプレイ）等の電極形成に用いられる電極材や色材等の液体をノズルから吐出する液体吐出ヘッドを備える液体吐出装置や、バイオチップ製造に用いられる生体有機物をノズルから吐出する液体吐出ヘッドを備える液体吐出装置や、精密ピペットとして試料をノズルから吐出する液体吐出ヘッドを備える液体吐出装置などであっても良い。
【符号の説明】
【００４５】
１  プリンター（液体吐出装置）、２  印刷用紙（媒体）、３  印刷ヘッド（液体吐出ヘッド）、３ａ  ノズル面、１１  ワイパーブレード（ワイパー部材）、１２  キャップ、１２Ａ  封止位置、１２Ｂ  退避位置、１５  保湿液供給部、１５ａ  保湿液タンク、１５ｃ  ノズル（保湿液吐出ノズル）、１６  ダイヤフラム、１７  逆止弁、２０  逆止弁、２２  作動部材、２２ｂ  第２角柱部（第２当接部）、２２ｄ  第３角柱部（第１当接部）、２４  当接部材、３４  当接部材（第２の当接部材）
【図１】
2012106428.tif 000003
【図２】
2012106428.tif 000004
【図３】
2012106428.tif 000005
【図４】
2012106428.tif 000006